【手続補正書】
【提出日】平成14年10月8日(2002.10.8)
【手続補正１】
【補正対象書類名】明細書
【補正対象項目名】特許請求の範囲
【補正方法】変更
【補正の内容】
【特許請求の範囲】
【請求項１】
赤目を認識し且つ修正するコンピュータ実施方法であって、このコンピュータ実施方法が、
赤色領域の存在をコンピュータ手段によって自動的に決定する工程と、
目の画像が前記赤色領域を囲んでいるかをコンピュータ手段によって自動的に決定する工程と、
前記赤色領域を直接に囲んでいる領域の色で前記赤色領域の色を置き換える置換工程と
を有するコンピュータ実施方法。
【請求項２】
赤目を認識し且つ修正するコンピュータ実施方法であって、このコンピュータ実施方法が、
赤色領域の存在を決定する工程と、
目の画像が前記赤色領域を囲んでいるかを決定する工程と、
前記赤色領域を直接に囲んでいる領域の色で前記赤色領域の色を置き換える置換工程と
を有するコンピュータ実施方法において、
目の画像が前記赤色領域を囲んでいるかを決定する前記工程が、
第１の均一色領域が前記赤色領域を囲んでいるかを決定する副工程と、
第２の均一色領域が前記第１の均一色領域を囲んでいるかを決定する副工程と、
前記第２の均一色領域よりも明るい領域が前記第２の均一色領域を囲んでいるかを決定する副工程と
を有するコンピュータ実施方法。
【請求項３】
請求項２に記載のコンピュータ実施方法であって、前記置換工程が、
前記第１の均一色領域の色を決定する副工程と、
前記赤色領域の色を前記第１の均一色領域の色で置き換える副工程と
を有するコンピュータ実施方法。
【請求項４】
請求項２に記載のコンピュータ実施方法であって、第１の均一色領域が前記赤色領域を囲んでいるかを決定する前記副工程が、
前記赤色領域の中心を決定する副工程と、
この中心から少なくとも１つの光線を延長して、前記第１の均一色領域が前記赤色領域を囲んでいるかを決定する副工程と
を有するコンピュータ実施方法。
【請求項５】
請求項２に記載のコンピュータ実施方法であって、第２の均一色領域が前記第１の均一色領域を囲んでいるかを決定する前記副工程が、
前記第１の均一色領域の中心を決定する副工程と、
前記第１の均一色領域の中心から少なくとも１つの光線を延長して、前記第２の均一色領域が前記第１の均一色領域を囲んでいるかを決定する副工程と
を有するコンピュータ実施方法。
【請求項６】
請求項５に記載のコンピュータ実施方法であって、このコンピュータ実施方法が更に、
前記第１の均一色領域の中心から少なくとも１つの光線を延長して、前記第２の均一色領域よりも明るい領域が前記第２の均一色領域を囲んでいるかを決定する工程を有するコンピュータ実施方法。
【請求項７】
赤目を認識し且つ修正するコンピュータ実施方法であって、このコンピュータ実施方法が、
赤色領域の存在を決定する工程と、
目の画像が前記赤色領域を囲んでいるかを決定する工程と、
前記赤色領域を直接に囲んでいる領域の色で前記赤色領域の色を置き換える置換工程と
を有するコンピュータ実施方法において、
前記赤色領域が円形状になっているコンピュータ実施方法。
【請求項８】
赤目を認識し且つ修正するコンピュータ実施方法であって、このコンピュータ実施方法が、
赤色領域の存在を決定する工程と、
目の画像が前記赤色領域を囲んでいるかを決定する工程と、
前記赤色領域を直接に囲んでいる領域の色で前記赤色領域の色を置き換える置換工程と
を有するコンピュータ実施方法において、
目の画像が前記赤色領域を囲んでいるかを決定する前記工程が、
第１の均一色領域が前記赤色領域を囲んでいるかを決定する副工程と、
前記第１の均一色領域よりも明るい領域が前記第１の均一色領域を囲んでいるかを決定する副工程と
を有するコンピュータ実施方法。
【請求項９】
請求項８に記載のコンピュータ実施方法であって、第１の均一色領域が前記赤色領域を囲んでいるかを決定する前記副工程が、
前記赤色領域の中心を決定する副工程と、
前記中心から少なくとも１つの光線を延長して、前記第１の均一色領域が前記赤色領域を囲んでいるかを決定する副工程と
を有するコンピュータ実施方法。
【請求項１０】
画像内の赤目を診断し且つ修正するコンピュータ実施方法であって、このコンピュータ実施方法が、
赤色領域の存在を決定する工程と、
第１の均一色領域が前記赤色領域を囲んでいるかを決定する工程と、
前記第１の均一色領域よりも明るい領域が前記第１の均一色領域を囲んでいるかを決定する工程と、
前記第１の均一色領域の色を決定する工程と、
前記赤色領域の色を前記第１の均一色領域の色で置き換える工程と
を有するコンピュータ実施方法。
【請求項１１】
請求項１０に記載のコンピュータ実施方法であって、前記赤色領域が円形状になっているコンピュータ実施方法。
【請求項１２】
請求項１０に記載のコンピュータ実施方法であって、前記第１の均一色領域が虹彩の画像となっているコンピュータ実施方法。
【請求項１３】
請求項１０に記載のコンピュータ実施方法であって、前記第１の均一色領域よりも明るい領域が強膜の画像となっているコンピュータ実施方法。
【請求項１４】
第１画像内の赤目を見つけ且つ修正するのに適したコンピュータ装置であって、このコンピュータ装置が、
赤い点及び少なくとも１つの目の画像を含む前記第１画像を記憶する記憶媒体と、
この記憶媒体に連結されている赤点検出器であって、前記記憶媒体から前記第１画像を受け、この第１画像内の前記赤い点の存在をコンピュータ手段によって自動的に検出し、この赤い点を認識する赤点検出器と、
この赤点検出器に連結されている目検出器であって、認識された赤い点を前記赤点検出器から受け、この赤い点が目の画像内に配置されているかをコンピュータ手段によって自動的に決定し、前記目の画像内に配置された赤い点の位置を出力する目検出器と、
この目検出器に連結されている赤目除去器であって、前記目の画像内に配置された赤い点の位置を受け、前記目の画像内に配置された赤い点の色を、前記赤い点を直接に囲んでいる領域の色で置き換える赤目除去器と
を有するコンピュータ装置。
【請求項１５】
第１画像内の赤目を見つけ且つ修正するのに適したコンピュータ装置であって、このコンピュータ装置が、
赤い点及び少なくとも１つの目の画像を含む前記第１画像を記憶する記憶媒体と、
この記憶媒体に連結されている赤点検出器であって、前記記憶媒体から前記第１画像を受け、この第１画像内の前記赤い点の存在を検出し、この赤い点を認識する赤点検出器と、
この赤点検出器に連結されている目検出器であって、認識された赤い点を前記赤点検出器から受け、この赤い点が目の画像内に配置されているかを決定し、前記目の画像内に配置された赤い点の位置を出力する目検出器と、
この目検出器に連結されている赤目除去器であって、前記目の画像内に配置された赤い点の位置を受け、前記目の画像内に配置された赤い点の色を、前記赤い点を直接に囲んでいる領域の色で置き換える赤目除去器と
を有するコンピュータ装置において、
前記目検出器が、
第１の均一色領域が前記赤い点を囲んでいるかを決定するモジュールと、
前記第１の均一色領域よりも明るい領域が前記第１の均一色領域を囲んでいるかを決定するモジュールと
を有するコンピュータ装置。
【請求項１６】
請求項１５に記載のコンピュータ装置であって、前記赤目除去器が、
前記第１の均一色領域の色を決定するモジュールと、
前記赤い点の色を、前記第１の均一色領域の色で置き換えるモジュールと
を有するコンピュータ装置。
【請求項１７】
第１画像内の赤目を見つけ且つ修正するのに適したコンピュータ装置であって、このコンピュータ装置が、
赤い点及び少なくとも１つの目の画像を含む前記第１画像を記憶する記憶媒体と、
この記憶媒体に連結されている赤点検出器であって、前記記憶媒体から前記第１画像を受け、この第１画像内の前記赤い点の存在を検出し、この赤い点を認識する赤点検出器と、
この赤点検出器に連結されている目検出器であって、認識された赤い点を前記赤点検出器から受け、この赤い点が目の画像内に配置されているかを決定し、前記目の画像内に配置された赤い点の位置を出力する目検出器と、
この目検出器に連結されている赤目除去器であって、前記目の画像内に配置された赤い点の位置を受け、前記目の画像内に配置された赤い点の色を、前記赤い点を直接に囲んでいる領域の色で置き換える赤目除去器と
を有するコンピュータ装置において、
前記目検出器が、
第１の均一色領域が前記赤い点を囲んでいるかを決定するモジュールと、
第２の均一色領域が前記第１の均一色領域を囲んでいるかを決定するモジュールと、
前記第２の均一色領域よりも明るい領域が前記第２の均一色領域を囲んでいるかを決定するモジュールと
を有するコンピュータ装置。
【請求項１８】
請求項１７に記載のコンピュータ装置であって、前記赤目除去器が、
前記第１の均一色領域の色を決定するモジュールと、
前記赤い点の色を前記第１の均一色領域の色で置き換えるモジュールと
を有するコンピュータ装置。
【請求項１９】
画像内の赤目を見つけ且つ修正するコンピュータ読取り可能媒体であって、このコンピュータ読取り可能媒体が、
赤い点を含む画像と、
第１の均一色領域が前記赤い点を囲んでいるかを決定する命令セグメントと、
前記第１の均一色領域よりも明るい領域が前記第１の均一色領域を囲んでいるかを決定する命令セグメントと、
前記第１の均一色領域の色を決定する命令セグメントと、
少なくとも１つの赤い点の色を前記第１の均一色領域の色で置き換える命令セグメントと
を有するコンピュータ読取り可能媒体。